(57)【特許請求の範囲】
【請求項１】
ワイヤレスマイクのＩＤ番号を検知するＩＤ検知手段と、前記ＩＤ番号を設定する設定手段と、受信した電波の音声信号の通過を制御するスケルチ手段と、前記ＩＤ検知手段で検知したＩＤ番号が、前記設定手段のＩＤ番号と一致した場合、前記ワイヤレスマイクからの音声信号を通過させるように動作スケルチレベルを設定し、不一致の場合、前記ワイヤレスマイクからの音声信号を阻止するように待機スケルチレベルを設定する制御手段とを備え、
前記待機スケルチレベルが前記動作スケルチレベルより高いことを特徴とする受信装置。
【請求項２】
受信した電波の電界強度レベルを検知するレベル検知手段を有する請求項１記載の受信装置であって、前記制御手段が、前記レベル検知手段からの信号により受信電界レベルが一定以上あり、かつ検知したＩＤ番号が、前記設定手段のＩＤ番号と一致した場合、前記ワイヤレスマイクからの音声信号を通過させるように動作スケルチレベルを設定し、受信電界レベルが一定未満であるか、または検知したＩＤ番号が前記設定手段のＩＤ番号と不一致の場合、前記ワイヤレスマイクからの音声信号を阻止するように待機スケルチレベルを設定することを特徴とする受信装置。
【請求項３】
前記ワイヤレスマイクを使用していないときに、他の信号源からの受信した電界強度レベルが、設定したスケルチレベルを超えそうな場合は、前記制御手段が、所定時間内に検知した最大レベルより数ｄＢ程度高いスケルチレベルを前記スケルチ手段に設定することを特徴とする請求項１または２記載の受信装置。
【請求項４】
前記レベル検知手段が受信電界レベルが急激に低下したことを検知すると、その信号を基にワイヤレスマイクがヌルあるいはデッドポイントと言われる電界レベルに入った判断してタイマーをスタートさせ、所定時間内では設定したスケルチレベルを維持するヌル検知手段を備えたことを特徴とする請求項１乃至３のいずれか一項に記載の受信装置。
【発明の詳細な説明】
【０００１】
【発明の属する技術分野】
本発明は、微小電力無線装置のワイヤレスマイクシステム、特に、放送局、劇場、ホール、学校、結婚式場等の拡声のために使用するワイヤレスマイクシステムにおける受信装置に関するものである。
【０００２】
【従来の技術】
従来、例えば教室用のワイヤレスマイクシステムは、図６に示すように、教室１０１内に設置された、ワイヤレスマイク１０２と受信器１０３とアンテナ１０４とスピーカー１０５で構成され、先生がワイヤレスマイク１０２を手に持って音声を入力すると、受信機１０３が受信電波を再生して音声としてスピーカー１０５により拡声して、教室１０１内の生徒が先生の声を明瞭に聴くことができる。先生がワイヤレスマイク１０２の使用を終わり、ワイヤレスマイク１０２のスイッチを切ると、受信機１０３は受信待機状態となる。
【０００３】
【発明が解決しようとする課題】
しかしながら、この種のワイヤレスマイクは、通常１０ｍＷ程度の微小電力を使用しているため、受信機の感度を上げて安定した動作をするようにしているが、使用していない待機状態のときは、外部の干渉波による音声や雑音を出力してしまいがちである。従って、受信機１０３が待機状態にあるときに、教室外のワイヤレスマイク１０６や大出力の無線用途の送信機１０７から電波が発せられると、その電波を受信機１０３がワイヤレスマイク１０２の電波と判断し、スケルチを開放して音声を出力するので、まったく関係のない音声や雑音が教室１０１内のスピーカー１０５から拡声させることになる。
【０００４】
本発明は、このような従来の問題を解決するものであり、ワイヤレスマイクを使用していない待機状態のときに、外部からの干渉波による音声や雑音の出力を除去できるワイヤレスマイクシステムの受信装置を提供するものである。
【０００５】
【課題を解決するための手段】
上記課題を解決するために、本発明の受信装置は、ワイヤレスマイクのＩＤ番号を検知するＩＤ検知手段と、前記ＩＤ番号を設定する設定手段と、受信した電波の音声信号の通過を制御するスケルチ手段と、前記ＩＤ検知手段で検知したＩＤ番号が、前記設定手段のＩＤ番号と一致した場合、前記ワイヤレスマイクからの音声信号を通過させるように動作スケルチレベルを設定し、不一致の場合、前記ワイヤレスマイクからの音声信号を阻止するように待機スケルチレベルを設定する制御手段とを備え、前記待機スケルチレベルが前記動作スケルチレベルより高いものであり、使用を許可されたワイヤレスマイク以外の外部の干渉波による音声や雑音の出力を防止できることとなる。
【０００６】
また、本発明の受信装置は、受信した電波の電界強度レベルを検知するレベル検知手段を有する請求項１記載の受信装置であって、前記制御手段が、前記レベル検知手段からの信号により受信電界レベルが一定以上あり、かつ検知したＩＤ番号が、前記設定手段のＩＤ番号と一致した場合、前記ワイヤレスマイクからの音声信号を通過させるように動作スケルチレベルを設定し、受信電界レベルが一定未満であるか、または検知したＩＤ番号が前記設定手段のＩＤ番号と不一致の場合、前記ワイヤレスマイクからの音声信号を阻止するように待機スケルチレベルを設定するものであり、受信した電波の電界強度レベルに応じて受信スケルチレベルを変えることにより、使用を許可されたワイヤレスマイク以外の外部の干渉波による音声や雑音の出力を防止できることとなる。
【０００７】
また、本発明の受信装置は、前記ワイヤレスマイクを使用していないときに、他の信号源からの受信した電界強度レベルが、設定したスケルチレベルを超えそうな場合は、前記制御手段が、所定時間内に検知した最大レベルより数ｄＢ程度高いスケルチレベルを前記スケルチ手段に設定することを特徴とするものであり、ワイヤレスマイクを使用する環境によっては、設定した受信スケルチレベルを超える干渉波が入力して、雑音を再生してしまうこともあるので、入力した干渉波のレベルに応じて受信スケルチレベルを変えることにより、使用を許可されたワイヤレスマイク以外の外部の干渉波による音声や雑音の出力を防止できることとなる。
【０００８】
また、本発明の受信装置は、前記レベル検知手段が受信電界レベルが急激に低下したことを検知すると、その信号を基にワイヤレスマイクがヌルあるいはデッドポイントと言われる電界レベルに入った判断してタイマーをスタートさせ、所定時間内では設定したスケルチレベルを維持するヌル検知手段を備えたことを特徴とするものであり、ワイヤレスマイクで移動中にしばしば発生するヌルあるいはデッドポイントと呼ばれる電波が急激に低下する現象が発生した場合に、使用者がワイヤレスマイクの電源を切断したと勘違いして、スケルチレベルを上げてワイヤレスマイクからの音声信号の通過を阻止してしまうことがあるので、このような場合には、タイマーで設定した所定時間内では設定した受信スケルチレベルに維持することにより、ヌルやデッドポイントが発生してもワイヤレスマイクからの音声信号を継続して受信できることとなる。
【０００９】
【発明の実施の形態】
以下、本発明の実施の形態について図面を参照して説明する。
（実施の形態１）
図１は本発明の実施の形態におけるワイヤレスマイクシステムの受信機の構成を示しており、アンテナ１で受信した電波を増幅する高周波増幅部２と、受信した周波数から中間周波数を生成するミキサ部３と、生成された中間周波数を増幅する中間周波増幅部４と、増幅された中間周波数を復調して音声信号を生成する検波部５と、特定の音声信号を通すか通さないかをレベルで制御するスケルチ部６と、通過した音声信号を増幅してスピーカーへ出力する低周波増幅部７と、中間周波数を生成するためにミキサ部３に局部発振周波数を与える局部周波数発振部８と、受信した電波の電界強度レベルを検知するレベル検知部９と、受信電界レベルが急激に低下した場合にヌルまたはデッドポイントと判断したタイマー１３を起動するヌル検知部１０と、ワイヤレスマイクのＩＤ番号を検知するＩＤ検知部１１と、装置全体を制御するＣＰＵ１２と、各信号の動作状態をリアルタイムに記憶し、干渉波の周期的な干渉の学習等を行うとともに、照合のためのＩＤ番号等を記憶しておくメモリー１４とを備えている。
【００１０】
次に、本実施の形態の動作について説明する。受信対象となるワイヤレスマイク（以下、対象ワイヤレスマイクという。）の電波がアンテナ１に入力してくると、高周波増幅部２で増幅され、ミキサ部３で局部周波数発振部８からの局部発振周波数と混合されて中間周波数を作成し、この中間周波数を中間周波増幅部４で増幅し、レベル検知部９で受信電界レベルを検知するとともに、検波部５で検波して音声信号とＩＤ番号を生成する。ＩＤ番号は、ＩＤ検知部１１で検知することによりワイヤレスマイクの識別を行い、ＣＰＵ１２にその結果を送出する。ＣＰＵ１２は、レベル検知部９からの信号により受信電界レベルが一定以上あり、かつ検知したＩＤ番号が対象ワイヤレスマイクからのものであれば、スケルチ部６に信号を送り、スケルチ部６は、適切なスケルチレベルで音声信号を通過させ、対象ワイヤレスマイクからではない外部からの音声信号であれば、音声信号の通過を阻止するためにスケルチレベルを高くする。スケルチ部６を通過した音声信号は、低周波増幅部７で増幅され、音声としてスピーカーから出力される。対象ワイヤレスマイクのスイッチを切ると、ＣＰＵ１２にはレベル検知部９からもＩＤ検知部１１からも入力信号がないので、スケルチ部６におけるスケルチレベルを高く設定して、外部からの音声信号の入力を阻止する。
【００１１】
このように、本実施の形態１では、対象ワイヤレスマイクを室内で使用しているときは、そのワイヤレスマイク以外の電波に対しては、受信した音声信号を出力するかしないかを決めるスケルチ部６のスケルチレベルを高くしておき、外部電波に対して、受信機自体の感度を悪く設定しておく。例えば図２に示すように、動作状態におけるワイヤレスマイクに対するスケルチ部６のスケルチレベル２１を６dBμＶから１０dBμＶ程度に設定しておき、ワイヤレスマイクのスイッチを切ると、待機状態のスケルチレベル２２を自動的に２０dBμＶから３０dBμＶに変更して、外部の干渉波による雑音が受信機から出力しないようにする。
【００１２】
以上のように、本実施の形態１によれば、ＣＰＵ１２は、レベル検知部９およびＩＤ検知部１１からの信号を入力して、エリア内で使用を許可されたワイヤレスマイクからの電波を受信していると判断したときは、そのワイヤレスマイクからの音声信号を通過させ、そのワイヤレスマイクを使用していないときは、他の信号発生源からの音声信号または雑音を阻止するように、スケルチ部６のスケルチレベルを設定するので、使用を許可されたワイヤレスマイク以外の外部の干渉波による音声や雑音の出力を防止することができる。
【００１３】
なお、本実施の形態１では、ＩＤ検知部１１とレベル検知部９とを備えているが、ＩＤ検知部１１のみを用いて、検知したＩＤ番号が対象ワイヤレスマイクからのものであれば、スケルチ部６は適切なスケルチレベルで音声信号を通過させ、対象ワイヤレスマイクからではない外部からの音声信号であれば、音声信号の通過を阻止するためにスケルチレベルを高くするようにしてもよい。
【００１４】
（実施の形態２）
上記実施の形態１では、対象ワイヤレスマイクのスイッチを切った待機状態では、外部からの電波を再生してスピーカーから音が出ないようにするために、スケルチ部６のスケルチレベルをＣＰＵ１２により高く設定したが、ワイヤレスマイクを使用する環境によっては、その設定した待機スケルチレベルを超える干渉波が入力して、雑音を再生してしまうことがある。そこで、本実施の形態２では、待機中に高い干渉波が入力しても再生しないように、ＣＰＵ１２が受信機に入力する干渉波のレベルをリアルタイムで監視し、図３に示すように、干渉波３１が来たときは、その干渉波３１に対して６ｄB程度のマージンｍを持ったスケルチレベル３２として待機するようにスケルチレベルを変更する。また、待機中にさらに強い干渉波３３、３５が入力すると、それぞれの干渉波に対して６ｄB程度のマージンｍをプラスしたスケルチレベル３４、３６に設定する。そして、対象ワイヤレスマイクからの目的電波３７が入力すると、ＣＰＵ１２は、レベル検知部９とＩＤ検知部１１とで目的のワイヤレスマイクを認識して、スケルチレベルを動作レベル３８まで下げて、対象ワイヤレスマイクからの音声信号を通過させる。
【００１５】
このように、本実施の形態２によれば、ワイヤレスマイクを使用していない待機状態の時に、ＣＰＵ１２が、レベル検知部９から入力される干渉波のレベルをリアルタイムで監視し、外部の干渉波による雑音を再生しないように、スケルチ部６におけるスケルチレベルを、所定時間内に検知した最大レベルより数ｄＢ程度高いレベルに設定するので、使用を許可されたワイヤレスマイク以外の外部の干渉波による音声や雑音の出力を確実に防止することができる。
【００１６】
（実施の形態３）
上記実施の形態１および２では、対象ワイヤレスマイクは、ワイヤレスマイクを使用しているか、していないかで、受信機のスケルチレベルの設定を制御しているため、使用しているワイヤレスマイクの移動中にしばしば発生するヌルあるいはデッドポイントと呼ばれる電波が急激に低下する現象が発生した場合に、ＣＰＵ１２は、使用者がワイヤレスマイクの電源を切断したと勘違いして、スケルチレベルを待機スケルチレベルまで上げてしまう危険性があり、そうすると、ワイヤレスマイクの音声が受信機より出力しなくなり、ワイヤレスマイクを事実上使用できなくなる。
【００１７】
そこで、本実施の形態３では、レベル検知部９が、受信電界レベルが急激に落ちるのを検知すると、ヌル検知部１０にそのことを示す信号を出力する。ヌル検知部１０は、その信号を受け取ると、ヌルまたはデッドポイントが生じたと判断して、図４に示すように、受信レベル４１が動作スケルチレベル４３を通過する以前に、タイマー１３をスタートさせる。ヌル４２は、使用する周波数とワイヤレスマイクを持っている人の移動等の要素によって異なるが、通常は１秒以下の短時間であるので、タイマー１３を最大３秒から５秒の範囲で動作させ、この時間内では動作スケルチレベル４３を維持する。ワイヤレスマイクの受信電界レベル４１が動作スケルチレベル４３以上になると、ヌル検知部１０はタイマー１３にカウントを中止する信号を出力する。ワイヤレスマイクの使用者が電源を切ると、受信電界レベル４１が急激に低下して動作スケルチレベル４３以下になり、上記と同様にタイマー１３をスタートさせるが、タイマー１３の最大カウント期間内にヌル検知部１０からタイマー中止の信号がないと、今後は電波がこないとＣＰＵ１２が判断して、干渉波を受けないようにスケルチレベルを待機スケルチレベル４４に高く設定する。
【００１８】
図５は本実施の形態の動作をフロー図として示したものであり、まず、ステップ５１でレベル検知部９が受信電界レベルの急激な低下を検知すると、ステップ５２でヌル検知部１０がタイマー１３をスタートさせる。次に、ステップ５３で所定時間内に受信電界レベルが復活したかを判定し、復活した場合は、ステップ５４でヌル検知部１０がタイマー１３を停止させ、ステップ５５でＣＰＵ１２が、ワイヤレスマイクが引き続き使用されていると判断して動作スケルチレベルを維持する。ステップ５３で所定時間内に受信電界レベルが復活しない場合は、ステップ５６でＣＰＵ１２がワイヤレスマイクが電源を切断したと判断し、ステップ５７でスケルチレベルを待機スケルチレベルに上げる。次に、ステップ５８で強い干渉波が待機スケルチレベルを超えて発生した場合は、ステップ５９でＣＰＵ１２が干渉波レベルにマージンをプラスした待機スケルチレベルに設定して、干渉波による雑音の発生を防止する。
【００１９】
このように、本実施の形態３によれば、ヌル検知部１０が、レベル検知部９からの信号により、ワイヤレスマイクがヌルあるいはデッドポイントと言われる電界レベルに入った判断したときは、タイマー１３をスタートさせて所定時間内では設定したスケルチレベルを維持するようにしたので、ヌルやデッドポイントが発生してもワイヤレスマイクからの音声信号を継続して受信することができる。
【００２０】
なお、上記各実施の形態では、ＩＤ番号を検知して対象ワイヤレスマイクを検出したが、ワイヤレスマイクからのトーン信号を検知して、他の信号発生源からの音声信号と区別するようにしてもよい。
【００２１】
【発明の効果】
以上説明したように、本発明は、エリア内で使用を許可されたワイヤレスマイクを使用しているときは、ワイヤレスマイクからの音声信号を通過させ、ワイヤレスマイクを使用していないときは、他の信号発生源からの音声信号または雑音を阻止するように受信スケルチレベルを設定するようにしたので、使用を許可されたワイヤレスマイク以外の外部の干渉波による音声や雑音の出力を防止できるという効果を有する。
【図面の簡単な説明】
【図１】本発明の実施の形態におけるワイヤレスマイクシステムの受信装置の構成を示すブロック図
【図２】本発明の実施の形態１におけるスケルチレベルの変化を示す特性図
【図３】本発明の実施の形態２における受信レベルおよびスケルチレベルの変化を示す特性図
【図４】本発明の実施の形態３における受信レベルおよびスケルチレベルの変化を示す特性図
【図５】本発明の実施の形態３における動作を説明するフロー図
【図６】ワイヤレスマイクシステムの構成例を示す模式図
【符号の説明】
１  アンテナ
２  高周波増幅部
３  ミキサ部
４  中間周波増幅部
５  検波部
６  スケルチ部
７  低周波増幅部
８  局部周波数発振部
９  レベル検知部
１０  ヌル検知部
１１  ＩＤ検知部
１２  ＣＰＵ
１３  タイマー
１４  メモリー
【図１】
0004312322.tif 000002
【図２】
0004312322.tif 000003
【図３】
0004312322.tif 000004
【図４】
0004312322.tif 000005
【図５】
0004312322.tif 000006
【図６】
0004312322.tif 000007